【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】
血管アクセスを経由して患者の血管に結合され、前記血管へ液体を移動させるために圧力を加える機械装置を有する医療装置における血管アクセス監視方法において、前記液体の圧力を測定し、測定された前記圧力の一定時間のデータを周波数解析して各周波数成分から構成されるスペクトルを検出し、前記スペクトルから前記機械装置に起因する周波数成分を除去することにより、前記患者の脈拍に起因する周波数成分を特定し、前記患者の脈拍に起因する周波数成分の強度のレベルを判定することにより前記血管アクセスの異常を監視することを特徴とする血管アクセス監視方法。
【請求項２】
前記血管アクセスを取り付ける前に、前記液体の圧力を測定し、測定された前記圧力の一定時間のデータを周波数解析して得られる前記機械装置に起因する周波数成分を検出して、前記スペクトルから前記機械装置に起因する周波数成分を除去する請求項１に記載の血管アクセス監視方法。
【請求項３】
血管アクセスを経由して患者の血管に結合され、前記血管へ液体を移動させるために圧力を加える機械装置を有する医療装置における血管アクセス監視方法において、前記機械装置を構成するポンプの回転周波数を基準周波数を中心にして一定周波数幅だけ変化するように回転させながら、前記液体の圧力を測定し、測定された前記圧力の一定時間のデータを周波数解析して前記患者の脈拍に起因する周波数成分から構成されるスペクトルを検出し、前記患者の脈拍に起因する周波数成分の強度のレベルを判定することにより前記血管アクセスの異常を監視することを特徴とする血管アクセス監視方法。
【請求項４】
血管アクセスを経由して患者の血管に結合され、前記血管へ液体を移動させるために圧力を加える機械装置を有する医療装置における血管アクセス監視方法において、前記液体の圧力を測定し、測定された前記圧力の一定時間のデータを周波数解析して各周波数成分から構成されるスペクトルを検出し、前記スペクトルを第１のスペクトルとして記録し、さらに所定時間を経て前記スペクトルを第２のスペクトルとして記録し、前記第１のスペクトルの周波数成分と前記第２のスペクトルの周波数成分との差をとり、その残余の周波数成分の強度のレベルを判定することにより前記血管アクセスの異常を監視することを特徴とする血管アクセス監視方法。
【請求項５】
前記液体の圧力を動脈側の液体で測定する、又は前記液体の圧力を静脈側の液体で測定する請求項１乃至請求項４のいずれかに記載の血管アクセス監視方法。
【請求項６】
血管アクセスを経由して患者の血管に結合され、前記血管へ液体を移動させるために圧力を加える機械装置を有する医療装置において、前記液体の圧力を測定する圧力検出手段と、測定された前記圧力の一定時間のデータを周波数解析して各周波数成分から構成されるスペクトルを検出する周波数解析手段と、前記スペクトルから前記機械装置に起因する周波数成分を除去する除去手段と、前記患者の脈拍に起因する周波数成分の強度のレベルを測定して血管アクセスの異常を判定する判定手段とからなる血管アクセス監視回路を備えたことを特徴とする医療装置。
【請求項７】
前記除去手段が、前記血管アクセスを取り付ける前に、前記液体の圧力を測定し、測定された前記圧力の一定時間のデータを周波数解析して得られる前記機械装置に起因する周波数成分を前記スペクトルの周波数成分から除去する手段である請求項６に記載の医療装置。
【請求項８】
血管アクセスを経由して患者の血管に結合され、前記血管へ液体を移動させるために圧力を加える機械装置を有する医療装置において、前記液体の圧力を測定する圧力検出手段と、測定された前記圧力の一定時間のデータを周波数解析して各周波数成分から構成されるスペクトルを検出する周波数解析手段と、前記スペクトルを第１のスペクトルとして記録する第１の記憶手段と、さらに所定時間を経て前記スペクトルを第２のスペクトルとして記録する第２の記憶手段と、前記第１のスペクトルの周波数成分と前記第２のスペクトルの周波数成分との差をとり、その残余の周波数成分の強度のレベルを判定する判定手段とからなる血管アクセス監視回路を備えたことを特徴とする医療装置。
【請求項９】
前記判定手段が異常を判定したときに警報を発する血管アクセス警報回路を備えた請求項６乃至請求項８のいずれかに記載の医療装置。
【請求項１０】
前記液体の圧力を動脈側の液体で測定する、又は前記液体の圧力を静脈側の液体で測定する請求項６乃至請求項９のいずれかに記載の医療装置。
【手続補正２】
【補正対象書類名】明細書
【補正対象項目名】０００９
【補正方法】変更
【補正の内容】
【０００９】
【課題を解決するための手段】
本発明は、血管アクセスを経由して患者の血管に結合され、前記血管へ液体を移動させるために圧力を加える機械装置を有する医療装置における血管アクセス監視方法に関するものであり、本発明の上記目的は、前記液体の圧力を測定し、測定された前記圧力の一定時間のデータを周波数解析して各周波数成分から構成されるスペクトルを検出し、前記スペクトルから前記機械装置に起因する周波数成分を除去することにより、前記患者の脈拍に起因する周波数成分を特定し、前記患者の脈拍に起因する周波数成分の強度のレベルを判定することにより前記血管アクセスの異常を監視することによって達成される。
【手続補正３】
【補正対象書類名】明細書
【補正対象項目名】００１２
【補正方法】変更
【補正の内容】
【００１２】
また、本発明は、血管アクセスを経由して患者の血管に結合され、前記血管へ液体を移動させるために圧力を加える機械装置を有する医療装置に関するものであり、本発明の上記目的は、前記液体の圧力を測定する圧力検出手段と、測定された前記圧力の一定時間のデータを周波数解析して各周波数成分から構成されるスペクトルを検出する周波数解析手段と、前記スペクトルから前記機械装置に起因する周波数成分を除去する除去手段と、前記患者の脈拍に起因する周波数成分の強度のレベルを測定して血管アクセスの異常を判定する判定手段とからなる血管アクセス監視回路を備えたことによって達成される。
【手続補正４】
【補正対象書類名】明細書
【補正対象項目名】００４１
【補正方法】変更
【補正の内容】
【００４１】
周波数解析手段３０の出力には、記憶手段３１が接続されている。記憶手段３１は、動脈側圧力センサ５で検出した圧力波データから周波数解析手段３０でＦＦＴ解析した血液ポンプ３や透析液循環ポンプなどの機械装置に起因する周波数成分と脈拍に起因する周波数成分が混在しているスペクトルが記憶される。記憶手段３１の内容は透析中は常時最新のデータに入れ替えられる。なお、記憶手段３１は周波数解析手段３０の出力データを一時記憶させるものなので、記憶手段３１は周波数解析手段３０の中に備えつけられても良い。
【手続補正５】
【補正対象書類名】明細書
【補正対象項目名】００４３
【補正方法】変更
【補正の内容】
【００４３】
一方、除去手段は、記憶手段３２と減算手段３３から構成される。記憶手段３２には、動脈側カニューレ１や静脈側カニューレ１０を血管に取り付ける前に、即ち、血管アクセスを取り付ける前に、動脈側圧力センサ５で検出した圧力波データからＦＦＴ解析手段３０でＦＦＴ解析した血液ポンプ３や透析液循環ポンプなどの機械装置のみに起因する周波数成分のスペクトルだけが記憶される。
【手続補正６】
【補正対象書類名】明細書
【補正対象項目名】００４５
【補正方法】変更
【補正の内容】
【００４５】
減算手段３３は、記憶手段３１と記憶手段３２を入力として配され、記憶手段３１が記憶している血液ポンプ３や透析液循環ポンプなどの機械装置に起因する周波数成分と脈拍に起因する周波数成分が混在している最新のスペクトルから、記憶手段３２の記憶している血液ポンプ３や透析液循環ポンプなどの機械装置のみに起因する周波数成分を除去して、脈拍に起因する周波数成分だけを特定する。
【手続補正７】
【補正対象書類名】明細書
【補正対象項目名】００４９
【補正方法】変更
【補正の内容】
【００４９】
まず、記憶手段３２に関しては図５の場合と同じで、動脈側カニューレ１や静脈側カニューレ１０を血管を取り付けないで、即ち、血管アクセスを取り付ける前に、動脈側圧力センサ５で検出した圧力波データからＦＦＴ解析手段３０でＦＦＴ解析した血液ポンプ３や透析液循環ポンプなどの血液に印可される圧力の機械装置のみに起因する周波数成分のスペクトルだけを記憶する。
【手続補正８】
【補正対象書類名】明細書
【補正対象項目名】００５３
【補正方法】変更
【補正の内容】
【００５３】
以上の実施例は、血液ポンプ３や透析液循環ポンプに起因する周波数成分と脈拍に起因する周波数成分が混在するスペクトルから血液ポンプ３や透析液循環ポンプに起因する周波数成分を除去して、脈拍に起因する周波数成分のみを検出する方法として、血管アクセスを取り付ける前に、血液ポンプ３や透析液循環ポンプに起因する周波数成分のみを測定する方法により実現した実施例である。